(57)【要約】【課題】藁等を耕土内の深い位置にすき込む。【解決手段】耕耘装置１は、回転動自在に支持された代かきロータ１０と、この前方側に配設されたフロントレーキ体３０及び回収レーキ体４０と、代かきロータ１０の後方側に配設されたリヤレーキ体５０を有する。代かきロータ１０は代かき軸１１に軸方向に所定間隙を有して配設された複数の代かき爪１３と、代かき軸１１の軸方向に代かき爪１３と同位置若しくは所定間隔を有して配設されて代かき爪１３よりも大回転半径を有した直刃２０を有する。フロントレーキ体３０は代かきロータ側に斜め下方へ延びる傾斜部３３ｃを有する。回収レーキ体４０は下方へ延びて表土上に存在する藁Ｂを押して湛水田の縁部に運ぶ。リヤレーキ体５０は代かきロータ１０の幅方向に所定間隔を有して配設された複数の第１レーキ体５３と、これら間に配設された第２レーキ体５６を有し、これらのレーキ体は側面視において交差する方向に延びる。【選択図】  図１
2005013008.tif 000002
【特許請求の範囲】
【請求項１】
回転動自在に支持された代かき軸の外周に放射状に取り付けられて前記代かき軸の軸方向に所定間隔を有して配設された複数の代かき爪及び前記代かき軸の軸方向に該代かき爪と同位置若しくは所定間隔を有して配設されて該代かき軸に対して略直交する方向に延びる直刃を有してなる代かきロータと、
該代かきロータの前方位置に該代かきロータの幅方向に所定間隔を有して配設されて先端側が該代かきロータ側へ延び、先端部が前記代かきロータの回転領域の上下幅内に配置される複数のフロントレーキ体と
を有してなることを特徴とする耕耘装置。
【請求項２】
回転動自在に支持された代かき軸の外周に放射状に取り付けられて前記代かき軸の軸方向に所定間隔を有して配設された複数の代かき爪及び前記代かき軸の軸方向に該代かき爪と同位置若しくは所定間隔を有して配設されて該代かき軸に対して略直交する方向に延びる直刃を有してなる代かきロータと、
該代かきロータの前方位置の該代かきロータの幅方向に所定間隔を有して配設され、表土上に存在する藁等を前記代かきロータの前側移動に応じて当接させて前記代かきロータとともに前方側に移動させるため、先端側が前記表土側へ延びる複数の回収レーキ体と
を有してなることを特徴とする耕耘装置。
【請求項３】
回転動自在に支持された代かき軸の外周に放射状に取り付けられて前記代かき軸の軸方向に所定間隔を有して配設された複数の代かき爪及び前記代かき軸の軸方向に該代かき爪と同位置若しくは所定間隔を有して配設されて該代かき軸に対して略直交する方向に延びる直刃を有してなる代かきロータと、
該代かきロータの後方位置の該代かきロータの幅方向に所定間隔を有して配設されて該代かきロータの後方側へ延び、先端部が前記代かきロータの回転領域外側の回転領域上下幅内に配置されるリヤレーキ体と
を有してなることを特徴とする耕耘装置。
【請求項４】
回転動自在に支持された代かき軸の外周に放射状に取り付けられて前記代かき軸の軸方向に所定間隔を有して配設された複数の代かき爪及び前記代かき軸の軸方向に該代かき爪と同位置若しくは所定間隔を有して配設されて該代かき軸に対して略直交する方向に延びる直刃を有してなる代かきロータと、
該代かきロータの前方位置の該代かきロータの幅方向に所定間隔を有して配設されて該代かきロータ側へ延び、先端部が前記代かきロータの回転領域の上下幅内に配置される複数のフロントレーキ体と、
該代かきロータの後方位置の該代かきロータの幅方向に所定間隔を有して配設されて該代かきロータの後方側へ延び、先端部が前記代かきロータの回転領域外側の回転領域上下幅内に配置される複数のリヤレーキ体と
を有してなることを特徴とする耕耘装置。
【請求項５】
前記直刃は、該直刃の回転方向前側の縁部に前記代かき軸の回転中心からの距離が漸次増加するに従って該直刃の回転方向後側に湾曲する排絡刃縁を連続して形成してなることを特徴とする請求項１〜４のいずれかに記載の耕耘装置。
【請求項６】
前記直刃は、前記代かき爪の先端部が描く円軌跡の回転半径よりも大きな回転半径を有することを特徴とする請求項１〜５のいずれかに記載の耕耘装置。
【請求項７】
前記直刃は、先端に側方に屈曲してわずかに延びる横刃を形成してなることを特徴とする請求項１〜６のいずれかに記載の耕耘装置。
【請求項８】
前記フロントレーキ体は、前記代かきロータの前方位置において、上下方向、前記代かきロータの幅方向及び前記代かきロータ側への延出方向の少なくともいずれかの方向が変更可能に配設されることを特徴とする請求項１又は４に記載の耕耘装置。
【請求項９】
前記フロントレーキ体は、正面視において前記代かき軸の軸方向に隣接して配設された前記直刃間に配設されることを特徴とする請求項１〜８のいずれかに記載の耕耘装置。
【請求項１０】
前記フロントレーキ体は、前後方向に延びて後側が前記代かき軸と交差する方向で、下部が表土表面の近傍位置まで延びる板状部材を着脱自在に有することを特徴とする請求項１、４、８、９のいずれかに記載の耕耘装置。
【請求項１１】
前記フロントレーキ体は、弾性変形可能な材料製であり、少なくとも先端側が側面視において上下方向に所定幅を有し、該先端側が前記代かき軸と交差する方向に延びることを特徴とする請求項１、４、８、９のいずれかに記載の耕耘装置。
【請求項１２】
前記回収レーキ体は、前記代かきロータの幅方向に位置調整可能に配設されることを特徴とする請求項２に記載の耕耘装置。
【請求項１３】
前記リヤレーキ体は、前記代かきロータの軸方向に配設された他のリヤレーキ体と側面視において交差する方向に延びることを特徴とする請求項３又は４に記載の耕耘装置。
【請求項１４】
前記代かきロータの回転領域の外側と前記リヤレーキ体との間には、前記代かきロータにより掻き上げられた水が前記代かきロータの回転方向に沿って該代かきロータの前側に移動するのを規制するための遮蔽板が配設されることを特徴とする請求項３、４、１３のいずれかに記載の耕耘装置。
【発明の詳細な説明】
【０００１】
【発明の属する技術分野】
本発明は、耕耘装置に関し、特に、代かき作業に用いられる代かき爪を有してなる代かきロータを備えた耕耘装置に関する。
【０００２】
【従来の技術】
代かき作業は、水田に対して水持、砕土、肥料の混合、均平、雑草防除、田植えの確実化の向上等を目的として湛水田に対して行なわれる。この代かき作業は機械的にも行なわれ、例えば、トラクタの後部に装着された代かきロータにより代かき作業が行なわれる。代かきロータは、回転動自在に支持された代かき軸に軸方向に所定間隔を有して配置されて回転半径が略同一の複数の代かき爪を放射状に取り付けて構成されている（特許文献１参照）。この代かき爪は、代かき軸の外周に取り付けられた取付ボックスに挿着される取付部に、代かき軸の回転方向後側に進むに従って回転軸の回転中心からの距離が漸次大きくなる曲線状の縦刃を連続して形成し、この縦刃の先端に、回転軸の延びる方向のいずれかの方向に屈曲する横刃を連続して形成してなる。また、取付ボックスの基部側には代かき軸に対して放射状に突出して延びる板状の代かき羽根が設けられる。代かき羽根の回転半径は代かき爪のそれよりも小さい。
【０００３】
このように構成された代かきロータによれば、代かき爪により圃場の耕土の深い位置を代かきし、代かき羽根により耕土の浅い位置を代かきする。このため、代かき爪及び代かき羽根により圃場の耕土の断面略全域を代かきすることができる。また、表土上に存在する藁は、代かき爪の縦刃により耕土内の下部にすき込まれる。
【０００４】
【特許文献１】
特開昭５４−１５８０７号公報（第１−２頁、第１図）
【０００５】
【発明が解決しようとする課題】
しかしながら、従来の代かきロータを備えた耕耘装置では、代かき軸の軸方向に隣接する代かき爪間に藁が存在すると、代かき爪の縦刃がこの藁に当接せず、藁を耕土内の下部にすき込むことができない。また代かき羽根により藁を耕土内にすき込むことができるが、代かき羽根は回転半径が小さいので、藁を耕土の下部の深い位置にすき込むことは困難である。従って、藁が表土上に浮いてしまい田植え作業にも支障をきたす虞がある。
【０００６】
本発明は、このような問題に鑑みてなされたものであり、藁等を耕土内の下部の深い位置にすき込むことができる耕耘装置を提供することを目的とする。
【０００７】
【課題を解決するための手段】
上記目的を達成するために本発明に係わる耕耘装置は、回転動自在に支持された代かき軸の外周に放射状に取り付けられて代かき軸の軸方向に所定間隔を有して配設された複数の代かき爪及び代かき軸の軸方向に該代かき爪と同位置若しくは所定間隔を有して配設されて該代かき軸に対して略直交する方向に延びる直刃を有してなる代かきロータと、該代かきロータの前方位置に該代かきロータの幅方向に所定間隔を有して配設されて先端側が該代かきロータ側へ延び、先端部が代かきロータの回転領域の上下幅内に配置される複数のフロントレーキ体とを有してなる。
【０００８】
上記構成の耕耘装置によれば、代かき軸の軸方向に代かき爪と同位置若しくは所定間隔を有して配置される直刃を設けることで、直刃により表土上に存在する藁を耕土内の下部の深い位置にすき込むことができる。このため、藁を耕土の下部の深い位置にすき込む藁のすき込み性を向上させることができる。また、代かきロータの前方位置に複数のフロントレーキ体を設けることで、表土上の藁を強制的に表土内に押し込むことができる。従って、直刃による藁の耕土内へのすき込み動作をし易くして、藁のすき込み性をより向上させることができる。
【０００９】
また、本発明に係わる耕耘装置は、回転動自在に支持された代かき軸の外周に放射状に取り付けられて代かき軸の軸方向に所定間隔を有して配設された複数の代かき爪及び代かき軸の軸方向に該代かき爪と同位置若しくは所定間隔を有して配設されて該代かき軸に対して略直交する方向に延びる直刃を有してなる代かきロータと、該代かきロータの前方位置の該代かきロータの幅方向に所定間隔を有して配設され、表土上に存在する藁等を代かきロータの前側移動に応じて当接させて代かきロータとともに前方側に移動させるため、先端側が表土側へ延びる複数の回収レーキ体とを有してなる。
【００１０】
上記構成の耕耘装置によれば、代かき軸の軸方向に代かき爪と同位置若しくは所定間隔を有して配置される直刃を設けることで、直刃により表土上に存在する藁を耕土内の下部の深い位置にすき込むことができ、藁のすき込み性を向上させることができる。また、代かきロータの前方位置に先端部が表土側へ延びる回収レーキ体を設けることで、表土上に藁等が存在する場合、代かきロータの前側移動に応じて回収レーキ体が藁等を前方側に押して移動させて、藁等を湛水田の所望位置に運ぶことができる。従って、藁が表土上に浮いて田植え作業に支障をきたす虞を防止することができる。また代かきロータによる代かき作業前に余分な藁が取り除かれるので、余分な藁の存在よりすき込まれるはずの藁がすき込まれ難くする事態が抑制されて、藁のすき込み性の低下を防止することができる。
【００１１】
また、本発明に係わる耕耘装置は、回転動自在に支持された代かき軸の外周に放射状に取り付けられて代かき軸の軸方向に所定間隔を有して配設された複数の代かき爪及び代かき軸の軸方向に該代かき爪と同位置若しくは所定間隔を有して配設されて該代かき軸に対して略直交する方向に延びる直刃を有してなる代かきロータと、該代かきロータの後方位置の該代かきロータの幅方向に所定間隔を有して配設されて該代かきロータの後方側へ延び、先端部が代かきロータの回転領域外側の回転領域上下幅内に配置されるリヤレーキ体（例えば、実施形態における第１レーキ体５３，第２レーキ体５６）とを有してなる。
【００１２】
上記構成の耕耘装置によれば、代かき軸の軸方向に代かき爪と同位置若しくは所定間隔を有して配置される直刃を設けることで、直刃により表土上に存在する藁を耕土内の下部の深い位置にすき込むことができ、藁のすき込み性を向上させることができる。また、代かきロータの後方位置にリヤレーキ体を設けることで、耕土内の下部にすき込まれた藁を上部から押し付けることができる。このため、すき込まれた藁の浮き上がりを防止して、藁のすき込み性の低下を抑制することができる。
【００１３】
また、本発明に係わる耕耘装置は、回転動自在に支持された代かき軸の外周に放射状に取り付けられて代かき軸の軸方向に所定間隔を有して配設された複数の代かき爪及び代かき軸の軸方向に該代かき爪と同位置若しくは所定間隔を有して配設されて該代かき軸に対して略直交する方向に延びる直刃を有してなる代かきロータと、該代かきロータの前方位置の該代かきロータの幅方向に所定間隔を有して配設されて該代かきロータ側へ延び、先端部が代かきロータの回転領域の上下幅内に配置される複数のフロントレーキ体と、該代かきロータの後方位置の該代かきロータの幅方向に所定間隔を有して配設されて該代かきロータの後方側へ延び、先端部が代かきロータの回転領域外側の回転領域上下幅内に配置される複数のリヤレーキ体とを有してなる。
【００１４】
上記構成の耕耘装置によれば、代かき軸の軸方向に代かき爪と同位置若しくは所定間隔を有して配置される直刃を設け、代かきロータの前方位置に複数のフロントレーキ体を設け、さらに代かきロータの後方位置に先端部が代かきロータの回転領域外側の回転領域上下幅内に配置されるリヤレーキ体を設けることで、表土上の藁はフロントレーキ体により強制的に表土内に押し込まれ、この押し込まれた藁は直刃により耕土内の下部の深い位置にさらにすき込まれる。そして、このすき込まれた藁はリヤレーキ体により上部から押し付けられて、藁の浮き上がりが規制される。このため、表土上の藁を耕土内の深い位置に浮き上がらせることなく確実にすき込むことができる。
【００１５】
上記構成の耕耘装置において、直刃は、該直刃の回転方向前側の縁部に代かき軸の回転中心からの距離が漸次増加するに従って該直刃の回転方向後側に湾曲する排絡刃縁を連続して形成してもよい。
【００１６】
上記構成の耕耘装置によれば、直刃の回転方向前側の縁部に排絡刃縁を連続して形成することで、直刃が回転方向前側に回転動すると、表土上に存在する藁等は排絡刃縁に当接して排絡刃縁の先端側に沿って移動するとともに、下方へ押し付けられて耕土内の下部にすき込まれる。そして、直刃の先端部が回転軌跡の最下点の位置に移動すると、排絡刃縁による藁等の下方への押し付け動作が終了する。そして、さらに直刃が回転方向前側に回転動すると、直刃の先端部は、耕土内の下部にすき込まれた藁から離反する方向、即ち、上方へ移動する。このため、藁等を直刃の回転半径と略同じ距離を有した耕土内の深い位置にすき込むことができるとともに、すき込んだ藁等を上方へ押し上げることはない。その結果、藁等を耕土内の下部に確実にすき込むことができる。
【００１７】
上記構成の耕耘装置において、直刃は、代かき爪の先端部が描く円軌跡の回転半径よりも大きな回転半径を有してなることが好ましい。
【００１８】
上記構成の耕耘装置によれば、直刃は代かき爪の先端部が描く円軌跡の回転半径よりも大きな回転半径を有することで、代かき爪により攪拌された耕土よりもより深い位置に藁等をすき込むことができる。また耕土内にすき込まれた藁が代かき爪により上方へ押し上げられる事態を抑制することができる。
【００１９】
上記構成の耕耘装置において、直刃は、先端に側方に屈曲してわずかに延びる横刃を形成してなるようにしてもよい。
【００２０】
上記構成の耕耘装置によれば、直刃の先端に側方に屈曲してわずかに延びる横刃を形成することで、耕土内にすき込まれる藁と横刃との接触面積を大きくすることができる。このため、藁のすき込み性をより向上させることができる。
【００２１】
上記構成の耕耘装置において、フロントレーキ体は、代かきロータの前方位置において、上下方向、代かきロータの幅方向及び代かきロータ側への延出方向の少なくともいずれかの方向が変更可能に配設されることが好ましい。
【００２２】
上記構成の耕耘装置によれば、フロントレーキ体は、上下方向、代かきロータの幅方向及び代かきロータ側への延出方向の少なくともいずれかの方向が変更可能に配設されることで、フロントレーキ体により導かれる表土上の藁等の移動方向を任意の角度にすることができる。このため、表土上に存在する藁等や耕土の状況に応じてフロントレーキ体の位置調整を行なって、藁等の耕土へのすき込み性を向上させることができる。
【００２３】
上記構成の耕耘装置において、フロントレーキ体は、正面視において代かき軸の軸方向に隣接して配設された直刃間に配設されることが好ましい。
【００２４】
上記構成の耕耘装置によれば、フロントレーキ体を正面視において直刃間に配設することで、表土上に存在する藁等が代かきロータの軸方向に延びている場合、フロントレーキ体により表土内に導かれなかった藁等の部分は、直刃により耕土内にすき込まれる。このため、藁等の全体を耕土内の下部の深い位置にすき込むことができる。
【００２５】
上記構成の耕耘装置において、フロントレーキ体は、後側が代かき軸と交差する方向で、下部が表土表面の近傍位置まで延びる板状部材を着脱自在に有してもよい。
【００２６】
上記構成の耕耘装置によれば、フロントレーキ体は、後側が代かき軸と交差する方向に傾斜して下部が表土表面の近傍位置まで延びる板状部材を着脱自在に有することで、代かきロータの前方側に配設されたタイヤの回転動によりタイヤ跡が表土に形成された場合、板状部材によりこのタイヤ跡を崩すことができる。このため、耕土の均平性を向上させることができる。また、板状部材を代かきロータの軸方向幅内にも配設することで、表土上に存在する藁等を耕土の幅内に導くことができ、耕土内への藁等のすき込み性を向上させることができる。
【００２７】
上記構成の耕耘装置において、フロントレーキ体（例えば、実施形態における第２フロントレーキ本体部３６）は、弾性変形可能な材料製であり、少なくとも先端側が側面視において上下方向に所定幅を有し、該先端側が代かき軸と交差する方向に延びるようにしてもよい。
【００２８】
上記構成の耕耘装置によれば、少なくともフロントレーキ体の先端側が側面視において上下方向に所定幅を有し、先端側が代かき軸と交差する方向に斜めに延びることで、代かきロータの前方側に配設されたタイヤの回転動により表土にタイヤ跡が形成された場合、フロントレーキ体の先端側がこのタイヤ跡を崩すことができる。このため、耕土の均平性を向上させることができる。また、このフロントレーキ体を代かきロータの軸方向幅内に配設することで、表土上に存在する藁等を耕土の幅内に導くことができ、耕土内への藁等のすき込み性を向上させることができる。
【００２９】
上記構成の耕耘装置において、回収レーキ体は代かきロータの幅方向に位置調整可能に配設されてもよい。
【００３０】
上記構成の耕耘装置によれば、回収レーキ体を代かきロータの幅方向に位置調整可能に配設することで、代かきロータの前側への移動にともなって回収レーキ体が前側に移動して、耕土内にすき込まれない藁等を湛水田の縁部に移動させることができる。従って、藁が表土上に浮いて田植え作業に支障をきたす虞を防止することができる。また代かきロータによる代かき作業前に余分な藁が取り除かれるので、余分な藁の存在によりすき込まれるはずの藁がすき込まれ難くする事態が抑制されて、藁等のすき込み性の低下を防止することができる。
【００３１】
また、上記構成の耕耘装置において、リヤレーキ体は、代かきロータの軸方向に配設された他のリヤレーキ体と側面視において交差する方向に延びてもよい。
【００３２】
上記構成の耕耘装置によれば、リヤレーキ体は代かきロータの軸方向に配設された他のリヤレーキ体と側面視において交差する方向に延びることで、代かきロータから後方側に送り出された藁等の流れをより下方側にすることができる。このため、直刃により耕土の下部の深い位置にすき込まれた藁等を上方から押さえ込むことができ、藁等の浮き上がりを防止して藁等のすき込み性をより向上させることができる。
【００３３】
上記構成の耕耘装置において、代かきロータの回転領域の外側とリヤレーキ体との間に、代かきロータにより掻き上げられた水が代かきロータの回転方向に沿って該代かきロータの前側に移動するのを規制するための遮蔽板を配設してもよい。
【００３４】
上記構成の耕耘装置によれば、代かきロータの回転領域の外側とリヤレーキ体との間に遮蔽板を配設することで、代かきロータにより上方へ持ち回された湛水田の水Ｗは遮蔽板に当接して向きを変えて下方へ流れる。このため、代かきロータにより攪拌された耕土や藁等が代かきロータの回転とともに上方へ引きずられる持ち回りを防止することができ、その結果、藁等のすき込み性の低下を防止することができる。また遮蔽板の下方に耕土を堆積させて、この耕土の下部に後から続く攪拌された耕土を流すことができる。その結果、代かきされた湛水田の表面の均平性を向上させることができる。
【００３５】
【発明の実施の形態】
以下、本発明の好ましい実施の形態を図１から図８に基づいて説明する。なお、本実施の形態は、トラクタに装着される耕耘装置の一例を示す。本発明に係わる耕耘装置１は、図１（側面図）に示すように、回転動自在に支持された代かきロータ１０と、代かきロータ１０の前方側に配設されたフロントレーキ体３０及び回収レーキ体４０と、代かきロータ１０の後方側に配設されたリヤレーキ体５０と、代かきロータ１０の回転領域の外側とリヤレーキ体５０との間に配設された遮蔽板７０と、リヤレーキ体５０の後方側に配設されたレベラー７５とを有して構成される。
【００３６】
耕耘装置１は、その前部において図示しないトラクタの後部に着脱自在に連結され、トラクタからの動力供給を受けて代かきロータ１０が回転動する。耕耘装置１は、代かきロータ１０が回転動した状態でトラクタが前進動して、湛水田の代かきを行なう。
【００３７】
代かきロータ１０は、水平方向に回転動自在に支持された代かき軸１１と、代かき軸１１の外周に放射状に取り付けられて代かき軸１１の軸方向に所定間隙を有して配設された複数の代かき爪１３と、隣接する代かき爪１３間の代かき軸１１に配設されて代かき軸１１に対して略直交する方向に延びる直刃２０を有して構成される。代かき爪１３は、代かき軸１１の軸周に設けられた取付ボックス（図示せず）に挿着される取付部１４と、取付部１４に連続的に形成されて代かき軸１１の回転方向後側に進むに従って代かき軸１１の回転中心Ｏからの距離が漸次大きくなる曲線状の縦刃部１５と、縦刃部１５の先端に連続して形成され代かき軸１１の延びる方向のいずれか一方側に屈曲する横刃部１６を有してなる。複数の代かき爪１３のそれぞれの先端部が描く円軌跡の回転半径は略同じ大きさである。この代かき爪１３が代かき軸１１を回転中心として回転動すると、先ず縦刃部１５が耕土内に真っ直ぐ入り込み、そして横刃部１６により耕土を攪拌し、粒の大きい土塊を砕いて土粒にする。
【００３８】
直刃２０は、図２（ａ）（側面図）に示すように、代かき軸１１の軸周に設けられた取付ボックス（図示せず）に挿着される取付部２１と、取付部２１に連続的に形成さる縦刃部２２とを有して形成される。縦刃部２２の回転方向前側の縁部には、代かき軸１１の回転中心Ｏからの距離が漸次増加するに従って直刃２０の回転方向後側に湾曲する排絡刃縁２３が連続して形成されている。排絡刃縁２３は、図２（ｂ）（裏面図）に示すように、外側に進むに従って漸次厚さが薄くなっている。直刃２０の先端部が描く円軌跡の回転半径Ｒ２は前述した図１に示す代かき爪１３の回転半径Ｒ１よりも大きい。
【００３９】
このように構成された直刃２０が、図３（側面図）に示すように、矢印Ａ方向に回転動すると、耕土上に存在する藁Ｂは排絡刃縁２３により耕土Ｋ内に押し込められる。そして、藁Ｂは直刃２０の回転動に応じた排絡刃縁２３の降下動により耕土Ｋ内の深い位置にすき込まれる。そして、排絡刃縁２３の先端が代かき軸１１の回転中心Ｏの略垂直下方位置にくると、排絡刃縁２３による藁Ｂのすき込みが終了する。即ち、排絡刃縁２３の先端が代かき軸１１から下方に最も遠ざかる位置（以下、「下死点Ｐ１」と記す）に移動すると、排絡刃縁２３による藁Ｂのすき込み動作が終了する。
【００４０】
このように構成された直刃２０を有した代かきロータ１０の上方位置には、図１に示すように、代かきロータ１０の上側を覆うシールドカバー６０が設けられている。シールドカバー６０は、側面視において半円状に形成されて代かきロータ１０の幅方向に延びる頂板部６１と、頂板部６１の左右両端部に接続されて上下方向に延びる一対の側板部６２を有して構成される。一対の側板部６２に前述した代かき軸１１が回転駆動可能に枢支されている。
【００４１】
シールドカバー６０の前端部には、代かきロータ１０の幅方向に所定間隔を有して配設されて先端側が代かきロータ１０側へ延び、先端部が代かきロータ１０の回転領域Ｄの上下幅内の下側に配置された複数のフロントレーキ体３０が取り付けられている。フロントレーキ体３０は、図４（ａ）（側面図）に示すように、図１に示すシールドカバー６０に固定される固定部３１と、固定部３１に取り付けられた複数の第１フロントレーキ本体部３３を有してなる。第１フロントレーキ本体部３３は、固定部３１に取り付けられて上方へ延びる取付部３３ａと、取付部３３ａの上部に繋がって前側に屈曲して円弧状に延びて下側に屈曲して下方へ延びる連結部３３ｂと、連結部３３ｂの先端部に繋がって後側に屈曲して斜め下方へ延びる傾斜部３３ｃを有してなる。第１フロントレーキ本体部３３の固定部３１に対する配置の詳細については後述する。
【００４２】
固定部３１は側面視においてコ字状に形成されて図１に示すシールドカバー６０の幅方向に延びる。固定部３１は、上下方向に延びる側板部３１ａと側板部３１ａの上下両端部のそれぞれから前側に突出する一対の突出部３１ｂを有してなる。一対の突出部３１ｂに第１フロントレーキ本体部３３の取付部３３ａが上下方向に延びた状態で挿通して溶着等により固着される。側板部３１には、図４（ｂ）（裏面図）に示すように、固定部３１の幅方向（図の上下方向）と略同一方向に延びる長孔３２が固定部３１の幅方向に所定間隔を有して複数設けられている。この長孔３２には図示しないボルトが挿通され、このボルトにより固定部３１が図４（ａ）に示すシールドカバー６０に締結される。長孔３２の上下方向の幅寸法は、これに挿通されるボルトの径よりも大きい。このため、フロントレーキ体３０はシールドカバー６０に対して上下方向及び幅方向に位置調整が可能である。また、固定部３１と図４（ａ）に示すシールドカバー６０との間に所定角度を有して傾斜する傾斜面を有した傾斜調整板（図示せず）を挟持させた状態で固定部３１をシールドカバー６０に取り付けることで、第１フロントレーキ本体部３３の傾斜部３３ｃの作用角度を調整することができる。
【００４３】
第１フロントレーキ本体部３３は、フロントレーキ体３０が図４（ａ）に示すシールドカバー６０に取り付けられると、図５（ａ）（部分正面図）に示すように、正面視において図１に示す代かき軸１１の軸方向に隣接して配設された直刃２０間に配置される。即ち、第１フロントレーキ本体部３３の固定部３１への取り付けピッチは、直刃２０の図１に示す代かき軸１１への取り付けピッチと略同一である。なお、第１フロントレーキ本体部３３の取り付けピッチは、直刃２０の取り付けピッチと略同一に限るものではなく、フロントレーキ体３０がシールドカバー６０に取り付けられた状態において、第１フロントレーキ本体部３３が隣接する直刃２０間に配置されるようなピッチであればよい。
【００４４】
固定部３１の両端部であって図示しないトラクタの左右に配設された図１に示す一対の車輪８０のそれぞれの後方に位置する部分には、固定部３１の幅方向に所定間隔を有して配置された第２フロントレーキ本体部３５が複数取り付けられている。第２フロントレーキ本体部３５は、図５（ｂ）（側面図）に示すように、固定部３１に取り付けられて上方へ延びる取付部３５ａと、取付部３５ａの上部に繋がって前側に屈曲して円弧状に延びて下側に屈曲して下方へ延びる連結部３５ｂを有してなる。連結部３５ｂの上部を形成する円弧状部の曲率半径は第１フロントレーキ本体部３３の連結部３３ｂのそれよりも大きい。このため、第２フロントレーキ本体部３５の連結部３５ｂのうち先端側の下方に直線状に延びる直線部３５ｂ１は、第１フロントレーキ本体部３３よりも前側に配置される。第２フロントレーキ本体部３５の連結部３５ｂの円弧状の部分（以下、「円弧状部３５ｂ２」と記す。）は、内側に隣接する他の第２フロントレーキ本体部３５の円弧状部３５ｂ２の曲率半径よりも大きな曲率半径を有して形成されている。このため、平面視において、複数の第２フロントレーキ本体部３５の直線部３５ｂ１の位置は内側に進むに従って漸次後方側に配置される。
【００４５】
第２フロントレーキ本体部３５の直線部３５ｂ１には、図５（ａ）に示すように、前後方向に延びて後側が代かき軸１１と交差する方向に、即ち、代かきロータ１０の内側に傾斜する方向に延びて、下部が耕土Ｋの表土表面の近傍位置まで延びる板状部材３８が着脱自在に設けられている。板状部材３８の側面には横方向に突出する固定部材３９が設けられている。固定部材３９には上下方向に貫通して第２フロントレーキ本体部３５の直線部３５ｂ１を摺動自在に挿通可能な挿通孔（図示せず）が形成されている。また固定部材３９には挿通孔と連通して横方向に延びる雌ねじ部（図示せず）が形成される。この雌ねじ部にボルト７８が螺合して挿通孔に挿通された直線部３５ｂ１が固定部３９に締結される。このため、板状部材３８は直線部３５ｂ１に沿った所望の上下位置に固定される。
【００４６】
またフロントレーキ体３０の固定部３１には、図５（ｂ）に示すように、回収レーキ体４０が取り付けられている。回収レーキ体４０は、湛水田に存在する藁のうち代かきロータ１０により耕土内にすき込まれずに残された藁を回収レーキ体４０で前側に押して湛水田の所定位置（例えば、水田の縁部）に移動させる。回収レーキ体４０は、図６（ａ）（側面図）に示すように、上下方向に延びる取付部４０ａと、取付部４０ａの上部に繋がって前側に屈曲して円弧状に延びる連結部４０ｂと、連結部４０ｂの先端部に繋がって略垂直下方へ延びる押圧部４０ｃを有してなる。取付部４０ａの上下方向の中間部には横方向に延びる鍔部４１が設けられている。取付部４０ａは図６（ｂ）に示す固定部３１の突出部３１ｂに形成された取り付け孔（図示せず）に挿通可能である。鍔部４１は、図６（ｂ）に示すように、その下面を突出部３１ｂの上面に当接接触させることで、回収レーキ体４０の固定部３１に対する上下方向の位置決めを行なう。鍔部４１の下面から下方へ延びる取付部４０ａには、横方向に延びるピン孔４２が形成されている。ピン孔４２は、鍔部４１が突出部３１ｂの上面に当接接触した状態において、鍔部４１の下面よりも下方へ延びる取付部４０ａのうちの突出部３１ｂの下面近傍位置の取付部４０ａに設けられている。このピン孔４２にストッパピン（図示せず）を挿通することで、回収レーキ体４０が固定部３１から上方に抜脱されるのを防止することができる。回収レーキ体４０を挿着する前述した取り付け孔は、固定部３１の幅方向に所定間隔を有して複数形成される。このため、回収レーキ体４０を任意の取り付け孔に挿着することで、回収レーキ体４０は固定部３１の幅方向に位置調整が可能である。
【００４７】
さて、図１に示すように、シールドカバー６０の後部には、上側が上下方向に回動自在に枢結されて後方側へ延びるエプロン６３が設けられている。このエプロン６３は、シールドカバー６０の後部に設けられたセンターピボット６４を介して左右方向に揺動可能に枢支されている。エプロン６３の先端部には前述したレベラー７５が上下方向に揺動自在に枢結されており、図示しない操作機構によりレベラー７５は上下方向の揺動がロック状態にされ及びロックが解除された状態にされる。
【００４８】
代かきロータ１０とエプロン６３との間には、第１スプリングレーキ５１及び第２スプリングレーキ５５を有してなる前述したリヤレーキ体５０が設けられている。第１スプリングレーキ５１は代かきロータ１０の後方側へ延びて先端部が代かきロータ１０の回転領域Ｄの外側の回転領域上下幅内に延びる。第１スプリングレーキ５１はその上端部に左右方向に延びる回転軸５２を有し、その回転軸５２に左右方向に所定間隔を有して後方側へ斜め下方に延びる複数の第１レーキ体５３が取り付けられている。第１レーキ体５３の先端部はレベラー７５よりも下方位置に延びる。回転軸５２の左右両端部には斜め下方へ延びる一対の連結アーム６５が取り付けられている。この連結アーム６５の先端部とエプロン６２との間にはリンク部材６６が回動自在に枢結されている。このため、エプロン６２の上下揺動に連動して第１レーキ体５３が上下方向に揺動して、第１レーキ体５３の先端部の上下位置を調整することができる。なお、第１レーキ体５３はシールドカバー６０に固定されて、エプロン６２と非連動状態にしてもよい。
【００４９】
また、第２スプリングレーキ５５は代かきロータ１０の後方側へ延び、先端部が代かきロータ１０の回転領域Ｄの外側の回転領域上下幅内に延びる。第２スプリングレーキ５５はその上端部に左右方向に延びる図示しない固定軸を有し、その固定軸に左右方向に所定間隔を有して後方側へ斜め下方に延びる複数の第２レーキ体５６が取り付けられている。複数の第２レーキ体５６のそれぞれは、左右方向に隣接する第１レーキ体５３間に配設され、第２レーキ体５６の先端部は第１レーキ体５３のそれよりも下方位置に延びる。このため、第２レーキ体５６は、側面視において第１レーキ体５３と交差する方向に延びる。なお、第２レーキ体５６は、第１レーキ体５３と同様に、エプロン６３の上下揺動に連動して上下方向に揺動可能に構成されてもよい。
【００５０】
第１スプリングレーキ５１の上部下側には、代かきロータ１０の幅方向に延びる板状の遮蔽板７０が装着されている。遮蔽板７０は、代かきロータ１０の回転領域Ｄを超えた近傍位置に配置され、下側が複数の第１レーキ体５３に沿って延びている。
【００５１】
このように構成された耕耘装置１により、代かき作業を行なうには、図１に示すように、図示しないトラクタの後部に耕耘装置１を装着し、耕耘装置１を湛水田に移動させる。そして、トラクタを駆動させて耕耘装置１の代かきロータ１０を矢印Ａ方向に回転動させるとともに、トラクタを前進動させる。トラクタが前進動すると、湛水田に存在する藁Ｂはフロントレーキ体３０の傾斜部３３ｃの上側から下側に沿って移動して湛水田の内部に導かれる。一方、フロントレーキ体３０により導かれなかった藁は、回収レーキ体４０の押圧部４０ｃに押圧されて、回収レーキ体４０とともに前側に移動する。また、トラクタの車輪８０によりタイヤ跡が形成された耕土は、図５（ａ）に示す板状部材３８によりタイヤ跡が崩される。
【００５２】
フロントレーキ体３０により湛水田の内部に導かれた藁Ｂは、代かきロータ１０の回転動に伴って、代かき爪１３により攪拌された耕土Ｋ内の下部にすき込まれるとともに、代かき爪１３より回転半径が大きい直刃２０により耕土Ｋのより深い位置にすき込まれる。即ち、藁Ｂは、図３に示す直刃２０の先端部が下死点に移動した位置Ｐ１の近傍位置にすき込まれる。その結果、攪拌された耕土Ｋの深い位置に藁Ｂをすき込むことができる。
【００５３】
耕土Ｋの深い位置にすき込まれた藁Ｂは、代かきロータ１０の後方側に配設された第１レーキ５３及び第２レーキ５６により上部から押圧されて、藁Ｂの浮き上がりが防止される。このため、耕土Ｋ内の下部の深い位置に藁Ｂを確実にすき込むことができる。また、第１レーキ体５３及び第２レーキ体５６は、側面視において、斜め下方に傾斜して交差する方向に配設されているので、代かきロータ１０から後方側に送り出された藁Ｂの流れはより下方側になり、藁Ｂのすき込み性をより向上させることができる。
【００５４】
また、代かきロータ１０により上方へ持ち回された湛水田の水Ｗは、遮蔽板７０に当接してその向きを変えて下方へ流れる。その結果、代かきロータ１０により攪拌された耕土Ｋや藁Ｂが代かきロータ１０の回転とともに上方へ引きずられる持ち回りを防止することができ、藁Ｂのすき込み性の低下を防止することができる。さらに、遮蔽板７０の下方に持ち回された耕土Ｋ’を堆積させることができ、その結果、この耕土Ｋ’の下部に後から続く攪拌された耕土Ｋを流すことができる。このため、代かきされた湛水田の表面の均平性を向上させることができる。また、前述したように、トラクタの車輪８０により耕土の表面にタイヤ跡が形成されても、図５（ａ）に示す板状部材３８によりタイヤ跡が崩されるので、代かきされた湛水田の表面の均平性をより向上させることができる。
【００５５】
また、フロントレーキ体３０は、前述したようにシールドカバー６０に対して代かきロータ１０の幅方向及び上下方向に調整可能であるとともに、傾斜部３３ｃの傾斜角度が調整可能であるので、湛水田に存在する藁Ｂの状態に応じてフロントレーキ体３０の位置調整を行なうことで、耕土内の深い位置にすき込まれる藁のすき込み性を向上させることができる。
【００５６】
また、図５（ａ）に示すように、フロントレーキ体３０は正面視において隣接する直刃２０の間に配設されているので、表土上の藁Ｂが代かきロータ１０の幅方向に延びている場合、この藁Ｂはフロントレーキ体３０により先ず強制的に表土内に押し込まれる一方、フロントレーキ体３０により表土内に導かれなかった藁Ｂは、直刃２０により耕土内にすき込まれる。このため、幅方向に延びる藁Ｂの全体を耕土内の下部の深い位置に確実にすき込むことができ、藁Ｂのすき込み性をより向上させることができる。
【００５７】
さらに、回収レーキ体４０は、前述したように固定部３１の幅方向に位置調整が可能であるので、表土上に存在する藁Ｂの状況に応じて回収レーキ体４０の数や隣接する回収レーキ体４０の間隔を調整することができる。このため、耕土内にすき込まれずに残された藁Ｂを確実に水田の所望位置に集めて回収することができる。従って、藁Ｂが表土上に浮いて田植え作業に支障をきたす虞を防止することができる。また代かきロータ１０による代かき作業前に余分な藁が取り除かれるので、余分な藁Ｂの存在よりすき込まれるはずの藁Ｂがすき込まれ難くなる事態が抑制され、藁Ｂのすき込み性の低下を防止することができる。
【００５８】
なお、前述した実施の形態では、板状部材３８は図１に示す車輪８０の後方位置に配置された場合を示したが、これら板状部材３８の内側にさらに別の板状部材を配設してもよい。追加する板状部材は後側が内側に傾斜するように配置する。このように板状部材をさらに追加することで、代かきロータ１０により代かきされる耕土の耕幅内に湛水田に存在する藁Ｂを導き入れることができ、藁Ｂのすき込み性をより向上させることができる。また、板状部材３８が取り付けられる第２フロントレーキ本体部３５が弾性を有した材料製にしてもよい。第２フロントレーキ本体部３５を弾性材料製にすることで、耕土内に存在する根石等が板状部材３８に衝突したときに第２フロントレーキ本体部３５が弾性変形して板状部材３８が根石等に引っ掛かって損傷する虞を未然に防止することができる。
【００５９】
また、前述した実施の形態では、直刃２０は代かき軸１１の軸方向に隣接する代かき爪１３の間に配設される場合を示したが、代かき爪１３の軸方向に同位置に直刃２０をさらに配設してもよい。
【００６０】
また、前述した実施の形態では、直刃２０は、図２（ｂ）に示すように、直線状に延びる形状を示したが、図７（ａ）及び（ｂ）に示すように、直刃２０は、直刃２０の先端が一方側へ屈曲してわずかに延びる横刃２４を有して形成してもよい。横刃２４は、縦刃２３の側面と略直交する方向に延びるとともに、回転方向前側から後側へ直線状に延びる。横刃２４の縦刃の側面からの突出量は縦刃の長さと比較して短い。このように直刃２０の先端に横刃２４を形成することで、耕土内にすき込まれる藁と横刃２４との接触面積を大きくすることができ、藁のすき込み性をより向上させることができる。
【００６１】
また、第２フロントレーキ本体部３６は、図８（ａ）（側面図）及び図８（ｂ）（前面図）に示すように、側面視において所定幅Ｅを有した板状部材で形成されてもよい。第２フロントレーキ本体部３６は、弾性変形可能な材料製（例えば、鉄、ステンレス製）であり、固定部３１に取り付けられて上方へ延びる取付部３６ａと、取付部３６ａの上部に繋がって前側に屈曲して円弧状に延びて下側に屈曲して下方へ延びる連結部３６ｂと、連結部３６ｂの先端部に繋がって後側に屈曲し、平面視において図８（ｃ）（平面図）に示す代かきロータ１０の代かき軸１１と交差する方向、即ち、代かきロータ１０方向に斜めに延びる傾斜部３６ｃを有してなる。取付部３６ａ及び連結部３６ｂは、図８（ｃ）に示すように、代かきロータ１０方向に斜めに延びる。なお、取付部３６ａ及び連結部３６ｂは平面視において代かきロータ１０方向に傾斜せずに前後方向に延び、傾斜部３６ｃのみが代かきロータ１０方向に傾いて延びてもよい。
【００６２】
第２フロントレーキ本体部３６の固定部３１への固定は、図８（ａ）に示すように、固定部３１の一対の突出部３１ｂ間に挿入可能な押圧部材４４及び押圧部材４４を固定部３１に締結する締結手段４５により行なわれる。押圧部材４４は、側面視においてコ字状に形成されて固定部３１の延伸方向に沿って延びる。締結手段４５は、押圧部材４４の側面に形成された挿通孔（図示せず）に挿通されるボルト４６と、固定部３１の側板部３１ａの内側に固着されたナット４７を有してなる。
【００６３】
第２フロントレーキ本体部３６の固定部３１への固定方法は、先ず、第２フロントレーキ本体部３６の取付部３６ａを、一対の突出部３１ｂに形成された取付孔（図示せず）に上方から挿通する。そして、一対の突出部３１ｂ間に押圧部材４４を挿入し、挿通孔にボルト４６を通してこれをナット４７に螺合させ、押圧部４４を固定部３１の側板部３１ａ側へ移動させる。そして、さらにボルト４６をナット４７に螺合させて、押圧部材４４の端部と側板部３１ａとの間に取付部３６ａを挟持させて、第２フロントレーキ本体部３６を固定部３１に固定する。なお、固定部３１に対する取付部３６ａの上下位置を調整することで、傾斜部３６ｃの上下位置調整を行なうことができる。
【００６４】
このように第２フロントレーキ本体部３６を構成することで、図１に示すトラクタの車輪８０により耕土にタイヤ跡が形成された場合、このタイヤ跡を板状の傾斜部３６ｃの側面により崩して均すことができる。即ち、図５（ａ）に示す第２フロントレーキ本体部３５に取り付けられた板状部材３８と同様の効果を得ることができる。また、第２フロントレーキ本体部３６は弾性変形可能な材料製であるので、第２フロントレーキ本体部３６が耕土内に存在する石等の障害物に当接しても、第２フロントレーキ本体部３６は弾性変形して障害物を乗り越えることができる。このため、第２フロントレーキ本体部３６が損傷する事態を未然に防止することができる。また、第２フロントレーキ本体部３６は固定部３１に対して上下位置調整が可能であるので、タイヤ跡を形成する土の寄り具合に応じて第２フロントレーキ本体部３６の上下位置を調整することで、耕土の均平性をより向上させることができる。
【００６５】
【発明の効果】
以上説明したように、本発明に係わる耕耘装置によれば、代かき軸の軸方向に代かき爪と同位置若しくは所定間隔を有して配置される直刃を設けるとともに、代かきロータの前方位置に複数のフロントレーキ体を設けることで、表土上に存在する藁をフロントレーキ体により強制的に表土内に押し込むことができ、直刃により表土内に押し込められた藁を耕土内の下部の深い位置にすき込むことができる。このため、藁を耕土の下部の深い位置にすき込む藁のすき込み性を向上させることができる。また、フロントレーキ体により藁は強制的に表土内に押し込められるので、直刃による藁の耕土内へのすき込み動作をし易くして、藁のすき込み性をより向上させることができる。
【００６６】
また、本発明に係わる耕耘装置によれば、代かき軸の軸方向に代かき爪と同位置若しくは所定間隔を有して配置される直刃を設けるとともに、代かきロータの前方位置に先端部が表土側へ延びる回収レーキ体を設けることで、表土上に存在する藁を直刃により耕土内の下部の深い位置にすき込むことができ、またすき込まれずに残された藁を代かきロータの前側移動に応じて回収レーキ体により湛水田の所望位置に運ぶことができる。従って、藁が表土上に浮いて田植え作業に支障をきたす虞を防止することができる。また代かきロータによる代かき作業前に余分な藁が取り除かれるので、余分な藁の存在よりすき込まれるはずの藁がすき込まれ難くする事態が抑制されて、藁のすき込み性の低下を防止することができる。
【００６７】
さらに、本発明に係わる耕耘装置によれば、代かき軸の軸方向に代かき爪と同位置若しくは所定間隔を有して配置される直刃を設け、代かきロータの後方位置にリヤレーキ体を設けることで、直刃により耕土内の下部にすき込まれた藁をリヤレーキ体により上部から押し付けることができる。このため、耕土内の下部にすき込まれた藁の浮き上がりを防止して、藁のすき込み性の低下を抑制することができる。
【００６８】
また、本発明に係わる耕耘装置によれば、代かき軸の軸方向に代かき爪と同位置若しくは所定間隔を有して配置される直刃を設け、代かきロータの前方位置に複数のフロントレーキ体を設け、代かきロータの後方位置に先端部が代かきロータの回転領域外側の回転領域上下幅内に配置されるリヤレーキ体を設けることで、表土上の藁はフロントレーキ体により強制的に表土内に押し込まれ、この押し込まれた藁は直刃により耕土内の底部の深い位置にすき込まれ、すき込まれた藁はリヤレーキ体により上部から押し付けられる。このため、表土上の藁を耕土内の深い位置にすき込む藁のすき込み性を確実に向上させることができる。
【図面の簡単な説明】
【図１】本発明の一実施の形態に係わる耕耘装置の側面図を示す。
【図２】この耕耘装置に用いられる直刃を示し、同図（ａ）は直刃の側面図であり、同図（ｂ）は直刃の裏面図である。
【図３】この直刃の動作を説明するための直刃の側面図を示す。
【図４】耕耘装置に搭載されるフロントレーキ体を示し、同図（ａ）はフロントレーキ体の側面図であり、同図（ｂ）はフロントレーキ体の裏面図である。
【図５】このフロントレーキ体を示し、同図（ａ）はフロントレーキ体の正面図であり、同図（ｂ）はフロントレーキ体の側面図である。
【図６】耕耘装置に搭載される回収レーキ体を示し、同図（ａ）は回収レーキ体の側面図であり、同図（ｂ）はフ回収レーキ体の裏面図である。
【図７】本発明に係わる耕耘装置に用いられる直刃を示し、同図（ａ）は直刃の側面図であり、同図（ｂ）は直刃の裏面図である。
【図８】第２フロントレーキ本体部を示し、同図（ａ）は第２フロントレーキ本体部の側面図であり、同図（ｂ）は第２フロントレーキ本体部の前面図であり、同図（ｃ）は第２フロントレーキ本体部の平面図である。
【符号の説明】
１  耕耘装置
１０  代かきロータ
１１  代かき軸
１３  代かき爪
２０  直刃
２３  排絡刃縁
２４  横刃
３０  フロントレーキ体
３６  第２フロントレーキ本体部（フロントレーキ体）
３８  板状部材
４０  回収レーキ体
５３  第１レーキ体（リヤレーキ体）
５６  第２レーキ体（リヤレーキ体）
７０  遮蔽板
Ｂ  藁
Ｄ  回転領域
【図１】
2005013008.tif 000003
【図２】
2005013008.tif 000004
【図３】
2005013008.tif 000005
【図４】
2005013008.tif 000006
【図５】
2005013008.tif 000007
【図６】
2005013008.tif 000008
【図７】
2005013008.tif 000009
【図８】
2005013008.tif 000010